(57)【要約】【課題】  上階の床組に床パネルを設置する際に、高所作業によることなく、複数の床パネルを順次効率良く位置決めして敷き並べることのできる床パネル設置方法を提供する。【解決手段】  横架材２４による床組１２に支持させて、上階の床下地１１を構成する床パネル１０を複数敷き並べて設置する設置方法であって、積み重ねた複数の床パネル１０は、各床パネル１０に形成した吊上げ係止孔１４を上下方向に連設させて、吊上げ線状部材１５を挿通すると共に、挿通した吊上げ線状部材１５を最下段の床パネル１０ａの下面に着脱可能に係止して、一体として吊上げ移動され、最下段の床パネル１０ａを位置決めしたら、吊上げ線状部材１５の係止状態を解除して次段の床パネル１０ｂの下面に係止し直し、残りの床パネル１０を吊上げ移動して次段の床パえネル１０ｂを位置決めする作業を繰り返すことにより、複数の床パネル１０を所定の区画１３に順次敷き並べる。【選択図】      図２
2006233715.tif 000002
【特許請求の範囲】
【請求項１】
木造建築物において、梁、根太等の横架材による床組に支持させて、上階の床下地を構成するプレカット製の床パネルを複数敷き並べて設置するための床パネル設置方法であって、
複数の前記床パネルを積み重ねた状態で吊上げて前記床組の直上に搬送した後に、最下段の床パネルから順次所定の区画に位置決めして前記床組に仮固定する工程からなり、
前記積み重ねられた複数の床パネルは、各床パネルに形成した少なくとも１箇所の吊上げ係止孔を各々上下方向に連設させて、最上段の床パネルの吊上げ係止孔から吊上げ線状部材を挿通すると共に、挿通した前記吊上げ線状部材を最下段の床パネルの下面に着脱可能に係止して、一体として吊上げ移動されるようになっており、
最下段の前記床パネルを位置決めしたら、前記吊上げ線状部材の係止状態を解除して次段の床パネルの下面に前記吊上げ線状部材を係止し直し、残りの床パネルを吊上げ移動して前記次段の床パネルを位置決めする作業を繰り返すことにより、前記複数の床パネルを前記所定の区画に順次敷き並べてゆく床パネル設置方法。
【請求項２】
前記床パネルの下面には、当該床パネルが設置される前記所定の区画における前記横架材の内々寸法と対応させて、位置決めビースが下方に突出して設けられており、該位置決めピースが介在することにより、上下に隣接する前記床パネルの間に間隔を保持した状態で、複数の前記床パネルが一体として吊上げ移動される請求項１に記載の床パネル設置方法。
【請求項３】
最下段の前記床パネルから下方に導綱を延設させ、該導綱を介した下階からの作業員による操作によって、吊上げられた前記床パネルを前記所定の区画に位置決めする請求項1又は２に記載の床パネル設置方法。
【請求項４】
前記導綱は、前記吊上げ線状部材の下方延設部分として設けられる請求項１〜３のいずれかに記載の床パネル設置方法。
【発明の詳細な説明】
【技術分野】
【０００１】
本発明は、床パネル設置方法に関し、特に、木造建築物において、梁、根太等の横架材による床組に支持させて、上階の床下地を構成するプレカット製の床パネルを複数敷き並べて設置するための床パネル設置方法に関する。
【背景技術】
【０００２】
木造建築物では、例えば基礎の上に１階の床組を形成して床パネルによる床下地を敷設すると共に、柱部材や必要に応じて壁パネルを立設配置し、これらの上方に梁や根太等の横架材を架け渡すことにより上階の床組を形成する。形成した上階の床組には、さらに床パネルによる床下地を敷設すると共に柱部材や必要に応じて壁パネルを立設配置し、同様の作業を繰り返しつつ複数階の木造建築物の基本構造を上階に向けて順次構築して行く（例えば、特許文献１参照）。また、近年の木造建築物では、例えば８００ｍｍ、９１０ｍｍ、１０００ｍｍ等の長さを基準長さとして、モジュール単位で建築物を設計する場合が多く、これによって、建築物の基本構造を構成する各部材は、例えばプレカット製の床パネルとして予め工場等におて効率良く且つ精度良く製作されることになる（例えば、特許文献２参照）。
【特許文献１】特開平９−２２８４７５号公報
【特許文献２】特開平９−１７７２１６号公報
【発明の開示】
【発明が解決しようとする課題】
【０００３】
一方、梁や根太等の横架材によって形成された上階の床組に床パネルによる床下地を敷設して行く作業は、足場となる下階の床下地から例えば２ｍ以上高くなった場所での高所作業となり、また床組は、骨組として設けられていて、横架材の間は、作業者が落下しやすい開口スペースとなっていることから、作業者が床組に登って床下地の敷設作業を行う際には、床組の下側やこれの周囲に、墜転落防止ネットを前もって取り付けた後に作業を行う必要がある。したがって、従来の技術によれば、上階の床下地の敷設作業は、このような墜転落防止ネットの取り付け作業に多くの手間がかかると共に、取り付けた墜転落防止ネットは、床下地の敷設後は邪魔になるため、その都度取り外す必要を生じて当該取り外し作業にも多くの労力を必要としていた。
【０００４】
また、床下地を構成する床パネルをプレカット部材として形成し、建築現場でクレーン等により１枚１枚吊上げ、下階からの作業員の操作によって、高所作業によることなく各床パネルを所定の区画に各々誘導して位置決め固定して行く敷設方法も考えられるが、地上のストックヤードとの間で床パネルを１枚毎に吊り上げて位置決めしてゆくのでは施工効率が著しく劣ることになる。さらに、複数の床パネルを一まとめにして吊り上げて床組まで搬送移動した場合には、一度床組上に複数の床パネルを仮置きした後に、作業員による高所作業によって一枚づつ床パネルを所定の区画に敷設して行く必要があるため、やはり墜転落防止ネットの取り付け作業や取り外し作業を要することになる。
【０００５】
本発明は、このような従来の課題に着目してなされたものであり、木造建築物における上階の床組に床パネルを設置する際に、高所作業によることなく、複数の床パネルを順次効率良く所定の区画に位置決めして敷き並べて行くことのできる床パネル設置方法を提供することを目的とする。
【課題を解決するための手段】
【０００６】
本発明は、木造建築物において、梁、根太等の横架材による床組に支持させて、上階の床下地を構成するプレカット製の床パネルを複数敷き並べて設置するための床パネル設置方法であって、複数の前記床パネルを積み重ねた状態で吊上げて前記床組の直上に搬送した後に、最下段の床パネルから順次所定の区画に位置決めして前記床組に仮固定する工程からなり、前記積み重ねられた複数の床パネルは、各床パネルに形成した少なくとも１箇所の吊上げ係止孔を各々上下方向に連設させて、最上段の床パネルの吊上げ係止孔から吊上げ線状部材を挿通すると共に、挿通した前記吊上げ線状部材を最下段の床パネルの下面に着脱可能に係止して、一体として吊上げ移動されるようになっており、最下段の前記床パネルを位置決めしたら、前記吊上げ線状部材の係止状態を解除して次段の床パネルの下面に前記吊上げ線状部材を係止し直し、残りの床パネルを吊上げ移動して前記次段の床パネルを位置決めする作業を繰り返すことによって、前記複数の床パネルを前記所定の区画に順次敷き並べてゆく床パネル設置方法を提供することにより、上記目的を達成したものである。
【０００７】
そして、本発明の床パネル設置方法によれば、前記床パネルの下面には、当該床パネルが設置される前記所定の区画における前記横架材の内々寸法と対応させて、位置決めピースが下方に突出して設けられており、該位置決めピースが介在することにより、上下に隣接する前記床パネルの間に間隔を保持した状態で、複数の前記床パネルが一体として吊上げ移動されるようになっていることが好ましい。
【０００８】
また、本発明の床パネル設置方法によれば、最下段の前記床パネルから下方に導綱を延設させ、該導綱を介した下階からの作業員による操作によって、吊上げられた前記床パネルを前記所定の区画に位置決めすることが好ましい。
【０００９】
さらに、本発明の床パネル設置方法によれば、前記導綱は、前記吊上げ線状部材の下方延設部分として設けられていることが好ましい。
【発明の効果】
【００１０】
本発明の床パネル設置方法によれば、木造建築物における上階の床組に床パネルを設置する際に、高所作業によることなく、複数の床パネルを順次効率良く所定の区画に位置決めして敷き並べて行くことができる。
【発明を実施するための最良の形態】
【００１１】
本発明の好ましい一実施形態に係る床パネル設置方法を用いて、上階（２階の）の床組１２に床パネル１０による床下地１１が敷設される木造建築物は、図１（ａ）〜（ｄ）にその基本構造が示されるように、例えば軸組工法による木造２階建ての住宅建築物である。本実施形態によれば、木造建築物の基本構造は、例えば基礎２０の上に１階の床組２１を形成して床パネル１０による床下地２２を敷設すると共に、柱部材２３を立設配置し（図１（ａ）参照）、これらの上方に梁や根太等の横架材２４を架け渡すことにより上階（２階）の床組１２を形成する（図１（ｂ）参照）。形成した２階の床組１２には、床パネル１０によって２階部分の床下地１１を敷設すると共に（図１（ｃ）参照）、柱部材２３を立設配置し（図１（ｄ）参照）、さらに上方に天井パネルや屋根パネル等が順次構築されて行く。
【００１２】
そして、本実施形態の床パネル設置方法は、２階の床組１２に床パネル１０を用いて床下地１１を敷設してゆく際に、高所作業によることなく、墜転落防止ネットの取り付け作業や取り外し作業を不要にしつつ、床組１２における所定の区画１３に複数の床パネル１０を順次効率良く位置決めして敷き並べて行くこと可能にするべく採用されたものである。
【００１３】
すなわち、本実施形態の床パネル設置方法は、木造建築物において、梁、根太等の横架材２４による床組１２に支持させて、２階の床下地１１を構成するプレカット製の床パネル１０を複数敷き並べて設置するための設置方法であって、図２及び図３に示すように、複数（本実施形態では４枚）の床パネル１０を積み重ねた状態で吊上げて床組１２の直上に搬送した後に、最下段の床パネル１０ａから順次所定の区画１３に位置決めして床組１２に仮固定する工程からなる。そして積み重ねられた複数の床パネル１０は、各床パネル１０に形成した少なくとも１箇所（本実施形態では２箇所）の吊上げ係止孔１４を各々上下方向に連設させて、最上段の床パネル１０ｄの吊上げ係止孔１４から吊上げ線状部材１５を挿通すると共に、挿通した吊上げ線状部材１５を最下段の床パネル１０ａの下面に着脱可能に係止して、一体として吊上げ移動されるようになっており、最下段の床パネル１０ａを位置決めしたら、吊上げ線状部材１５の係止状態を解除して次段の床パネル１０ｂの下面に吊上げ線状部材１５を係止し直し、残りの床パネル１０を吊上げ移動して次段の床パネル１０ｂを位置決めする作業を繰り返すことにより、複数の床パネル１０を所定の区画１３に順次敷き並べてゆくことによって構成されている。
【００１４】
また、本実施形態によれば、各床パネル１０の下面には、当該床パネル１０が設置される所定の区画１３における横架材２４の内々寸法と対応させて、位置決めピース１６が下方に突出して設けられており、この位置決めピース１６が介在することにより、上下に隣接する床パネル１０の間に間隔１７を保持した状態で、４枚の床パネル１０が一体として吊上げ移動されるようになっている。
【００１５】
本実施形態では、床パネル１０は、図４（ａ），（ｂ）にも示すように、いわゆるマルチバランス床パネルであって、例えば２４ｍｍ程度の厚さを有していて、根太を要することなく、梁のみに支持させた場合でも所望の強度を発揮できる、根太レスの床パネルとして用いることが可能なプレカット製のパネル部材である。またマルチバランス床パネルは、プレカットによる製造工程が確立していて、例えば工場等において、予め設計された当該床パネル１０が設置される各区画１３の形状に応じて、ミリ単位で精度良く加工されることにより、例えば９１０ｍｍを１モジュールとした、例えば長さ３００〜１８２０ｍｍ、幅３００〜９１０ｍｍ程度の大きさの矩形形状に、容易且つ効率良く形成されることになる。
【００１６】
また、床パネル１０には、その矩形形状における長手方向の中心線Ｃに沿った中央を挟んだ両側に、例えば２０〜６０ｍｍ程度の孔径の円形の一対の吊上げ係止孔１４が、対称に配置されて貫通形成されている。さらに、床パネル１０の下面には、例えば当該床パネル１０を加工形成する際の端材を用いて、当該床パネル１０が設置される各区画１３における横架材２４の内々寸法と対応する位置に配置されて、三角形状の一対の位置決めピース１６が、例えば接着剤を介して対角位置に固定されることにより、下方に突出して設けられている。
【００１７】
なお、吊上げ係止孔１４は、これに挿通される吊上げ線状部材１５を介して床パネル１０をバランス良く吊り上げることが可能な位置に配置して、少なくとも１箇所設ける必要がある。吊上げ係止孔１４を３箇所又は４箇所以上設けて、各々に吊上げ線状部材１５を挿通し、複数の床パネル１０をより安定した状態で吊り上げるようにすることもできる。また、位置決めピース１６は、床パネル１０を加工形成する際の端材を用いて設けることができる他、合成樹脂製の部材や金属製の部材を用いて設けることもできる。位置決めピース１６は、三角形状以外の例えば矩形形状、帯板形状、枠形状等とするともでき、その突出高さｈを適宜調整することもできる。さらに、床パネル１０は、例えば角部分に柱部材２３が立設配置される区画１３に取付けられるものである場合には、その角部に切欠き１７を設けて形成しておくことができる。さらにまた、床パネル１０の下面には、吊上げ係止孔１４の周縁外周部分を覆うようにして、例えば円環状の補強プレート１８を取付けておくことができ、これによって、床パネル１０の吊上げ時に、後述する吊上げ線状部材１５の下端に設けられた回転吊上げ係止片１９を、安定した状態で吊上げ係止孔１４の周縁に係止しておくことが可能になる。
【００１８】
上述のような構成の床パネル１０は、プレカット製のパネル部材として予め工場等において精度良く且つ効率良く形成され、例えば２階の床組１２における所定の区画１３への取付け順序に従って、位置決めピース１６が介在することにより上下の床パネル１０の間に間隔１７を保持しつつ積み重ねられた状態で、建築施工現場に搬入される。
【００１９】
建築施工現場では、積み重ねられた状態で搬入された複数の床パネル１０を、例えば４枚の床パネル１０を一組として積み分け、一組の床パネル１０の各吊上げ係止孔１４を各々上下方向に連設させて、吊上げ治具３０から垂下して設けた一対の吊上げ線状部材１５を挿通すると共に、これの下端部に設けられた回転吊上げ係止片１９を、最下段の床パネル１０ａの下面に係止する。
【００２０】
ここで、吊上げ治具３０は、例えば中央にフック係止リング３１が設けられた水平ロッド３２と、水平ロッド３２の両端部分に接続固定されて垂直下方に延設する一対の吊上げ線状部材１５からなり、一対の吊上げ線状部材１５は、床パネル１０に設けられた一対の吊上げ係止孔１４の間隔と等しい間隔を置いて取り付けられている。吊上げ線状部材１５は、例えば直径が１５〜５０ｍｍ程度の丸鋼からなり、吊上げ係止孔１４にスムーズに挿通できる太さを備えていると共に、積み重ねられた４枚の床パネル１０を連続して貫通するのに十分な長さを有している。また、吊上げ線状部材１５の下端部は、例えば二股のコの字形状に形成されていて、当該下端部には、図５（ａ）〜（ｅ）にも示すように、回転吊上げ係止片１９が、回転可能にピン結合された状態で取り付けられている。
【００２１】
回転吊上げ係止片１９は、例えば上方平坦面１９ａと下方湾曲面１９ｂとを備える弓形形状を有しており、例えばピン結合部分に設けられたバネ機構等を介して、上方平坦面１９ａが吊上げ線状部材１５に対して垂直に配置されるように付勢されている（図５（ａ），（ｅ）参照）。また回転吊上げ係止片１９は、上方平坦面１９ａが吊上げ線状部材１５の側面に沿うように手の力で容易に回動させることが可能となっており（図５（ｂ），（ｃ）参照）、この状態では、回転吊上げ係止片１９が吊上げ線状部材１５と共に吊上げ係止孔１４を通過できるようになっている。
【００２２】
さらに、本実施形態では、吊上げ線状部材１５の下端には、導綱係止フック３３が設けられており、この導綱係止フック３３に導綱３４を着脱可能に係止して、吊上げ線状部材１５の下方延設部分として導綱３４を延設させ、この導綱３４を介した下階からの作業員による操作によって、吊上げられた床パネル１０を所定の区画１３に誘導して位置決めする操作を、スムーズに行うことができるようになっている（図２参照）。
【００２３】
そして、本実施形態の床パネル設置方法によれば、図３に示すように、吊上げ治具３０の一対の吊上げ線状部材１５を、積み重ねられた床パネ１０の上下に連設する各吊上げ係止孔１４に上方から挿通すると共に、挿通した吊上げ線状部材１５を回転吊上げ係止片１９によって最下段の床パネル１０ａの下面に係止しつつ、吊上げ治具３０のフック係止リング３１にレッカーやクレーン等の吊上げ重機のフック３５を係止し、しかる後に、４枚の床パネル１０を積み重ねた状態で一体として吊上げて２階の床組１２の直上に搬送する。
【００２４】
２階の床組１２の直上に搬送された床パネル１０は、導綱係止フック３３に導綱３４を係止して、図２に示すように、足場の安定した下階（１階）の床下地２２からの作業員による操作によって、所定の区画１３における最下段の床パネル１０ａの敷設位置にスムーズに案内され、且つ位置決めピース１６によって正確に位置決めされて、床組１２に敷設される。
【００２５】
最下段の床パネル１０ａが所定の敷設位置に敷設されたら、図５（ａ）〜（ｅ）に示すように、回転吊上げ係止片１９の上方平坦面１９ａが最下段の床パネル１０ａの下面に密着係止している状態から（図５（ａ）参照）、必要に応じて導綱３４を取り外し、吊上げ線状部材１５を下方に押し下げて係止状態を解除した後に、下階（１階）の床下地２２からの作業員による操作によって、例えば適宜取付けた引下げ紐３６を介して回転吊上げ係止片１９を上方平坦面１９ａが吊上げ線状部材１５の側面に沿うように手の力で回動させる（図５（ｂ）参照）。これによって、回転吊上げ係止片１９は吊上げ線状部材１５と共に吊上げ係止孔１４を通過できる状態となるので、吊上げ線状部材１５を上方に引き上げて（図５（ｃ）参照）、吊上げ線状部材１５を最下段の床パネル１０ａの吊上げ係止孔１４から引き抜く。
【００２６】
最下段の床パネル１０ａの吊上げ係止孔１４から吊上げ線状部材１５が引き抜かれると、回転吊上げ係止片１９は、その付勢力によって、最下段の床パネル１０ａと次段の床パネル１０ｂとの間の間隔１７部分において上方平坦面１９ａが水平になるように自動的に回動するので（図５（ｄ）参照）、さらに吊上げ線状部材１５を上方に引き上げることにより、回転吊上げ係止片１９は、次段の床パネル１０ｂの下面に係止し直される（図５（ｅ））。これによって、既に設置された最下段の床パネル１０ａから引き離されつつ、残りの床パネル１０を吊上げ移動することが可能になるので、次段の床パえネル１０ｂを位置決めすることができるようになると共に、このような作業を繰り返すことによって、４枚の床パネル１０を所定の区画１３に順次敷き並べてゆくことが可能になる。
【００２７】
したがって、本実施形態によれば、木造建築物における上階（２階）の床組１２に床パネル１０を設置する際に、足場の安定した下階（１階）の床下地２２からの作業員による操作によって、高所作業によることなく、複数の床パネル１０を順次敷設して床下地１１を形成してゆくことが可能になる。また、複数の床パネル１０をまとめて吊り上げて床組１２の直上に搬送した後に、各床パネル１０を順次敷設してゆくので、地上のストックヤードとの間で１枚１枚床パネルを吊上げ敷設して行く場合と比較して、複数の床パネル１０を効率良く所定の区画１３に位置決めして敷き並べて行くことが可能になる。
【００２８】
そして、上述のようにして床下地１１を形成するべく敷設された複数の床パネル１０は、例えば固定釘や固定ビス等を用いて床組１２に仮固定され、例えば建築物のさらに上方部分を構築するための足場として利用されることになる。
【００２９】
なお、本発明は上記実施形態に限定されることなく種々の変更が可能である。例えば、本発明の床パネル設置方法は、２階建ての木造住宅建築物に限定されることなく、３階建て又は４階建て以上のその他の種々の木造建築物において、上階の床組に支持させて床下地を形成する床パネルを複数敷き並べて行く際に採用することもできる。また、床パネルは、４枚を一組として一体として吊り上げる必要は必ずしも無く、２枚又は３枚、或いは５枚以上を一組として吊り上げることもできる。さらに、吊上げ線状部材は、丸鋼である必要は必ずしも無く、ワイヤーやロープ等の吊上げ係止孔に挿通可能なその他の種々の線状部材を用いることもできる。さらにまた、吊上げ線状部材を最下段の床パネルの下面に着脱可能に係止すると共に、次段の床パネルの下面に係止し直すことを可能にする手段は、上述の回転吊上げ係止片によるものの他、その他の種々の係止手段を用いることができる。例えば、積み重ねられた床パネルの下面に各々同時に係止される複数の係止機構を備えると共に、敷設された最下段の床パネルから順次係止機構による係止状態を解除してゆくような構造のものであっても良い。
【図面の簡単な説明】
【００３０】
【図１】（ａ）〜（ｄ）は、本発明の好ましい一実施形態に係る床パネル設置方法によって上階の床組に床パネルによる床下地が敷設される木造建築物において、その施工状況を説明する略示斜視図である。
【図２】本発明の好ましい一実施形態に係る床パネル設置方法によって上階の床組に床パネルによる床下地を敷設する状況を説明する略示斜視図である。
【図３】複数の床パネルを積み重ねた状態で一体として吊り上げる状況を説明する略示断面図である。
【図４】（ａ）は床パネルの底面図、（ｂ）は床パネルの底面に取付けられる位置決めピースを例示する拡大斜視図である。
【図５】（ａ）〜（ｅ）は、最下段の床パネルを位置決めしたら、吊上げ線状部材の係止状態を解除して次段の床パネルの下面に吊上げ線状部材を係止し直し、残りの床パネルを吊上げ移動してゆく状況を説明図する要部拡大図である。
【符号の説明】
【００３１】
１０   床パネル
１０ａ  最下段の床パネル
１０ｂ  次段の床パネル
１０ｄ  最上段の床パネル
１１  上階（２階）の床下地
１２  上階（２階）の床組
１３  所定の区画
１４  吊上げ係止孔
１５  吊上げ線状部材
１６  位置決めピース
１７  切欠き
１８  補強プレート
１９  回転吊上げ係止片
１９ａ  回転吊上げ係止片の上方平坦面
１９ｂ  回転吊上げ係止片の下方湾曲面
２０  基礎
２１  下階（１階）の床組
２２  下階（１階）の床下地
２３  柱部材
２４  横架材
３０  吊上げ治具
３１  フック係止リング
３２  水平ロッド
３３  導綱係止フック
３４  導綱
３５  吊上げ重機のフック
３６  引下げ紐
【図１】
2006233715.tif 000003
【図２】
2006233715.tif 000004
【図３】
2006233715.tif 000005
【図４】
2006233715.tif 000006
【図５】
2006233715.tif 000007